【手続補正書】
【提出日】平成18年7月28日(2006.7.28)
【手続補正１】
【補正対象書類名】明細書
【補正対象項目名】発明の名称
【補正方法】変更
【補正の内容】
【発明の名称】デジタル放送受信装置とその制御方法、プログラム、データ記録装置及びデータ記録方法
【手続補正２】
【補正対象書類名】明細書
【補正対象項目名】特許請求の範囲
【補正方法】変更
【補正の内容】
【特許請求の範囲】
【請求項１】
受信したデータ放送コンテンツに基づいて、不揮発性メモリへのデータ書き込みが制御されるデジタル放送受信装置において、
前記不揮発性メモリに記録されているデータを一時保存用メモリに転送する転送手段と、
前記データ放送コンテンツに基づいて前記不揮発性メモリへのデータ書き込みが要求された状態で、前記不揮発性メモリに書き込むデータを前記一時保存用メモリに書き込む記録手段と、
この記録手段により前記一時保存用メモリに記録されたデータを、前記データ放送コンテンツに基づく所定の動作が要求された状態で、前記不揮発性メモリに転送する制御手段とを具備したことを特徴とするデジタル放送受信装置。
【請求項２】
前記記録手段は、前記データ放送コンテンツに基づいて前記不揮発性メモリへのデータ書き込みが要求された状態でフラグを設定し、
前記制御手段は、前記データ放送コンテンツに基づく所定の動作が要求され、かつ、前記フラグが設定されているときに、前記一時保存用メモリに記録されているデータを前記不揮発性メモリに転送することを特徴とする請求項１記載のデジタル放送受信装置。
【請求項３】
前記所定の動作は、前記データ放送コンテンツに基づくスコープの変化、または、前記データ放送コンテンツに基づく双方向通信の開始であることを特徴とする請求項１または２記載のデジタル放送受信装置。
【請求項４】
受信したデータ放送コンテンツに基づいて、不揮発性メモリへのデータ書き込みを行なうようにデジタル放送受信装置を制御するデジタル放送受信装置の制御方法において、
前記不揮発性メモリに記録されているデータを一時保存用メモリに転送する転送工程と、
この転送工程の後、前記データ放送コンテンツに基づいて前記不揮発性メモリへのデータ書き込みが要求された状態で、前記不揮発性メモリに書き込むデータを前記一時保存用メモリに書き込む記録工程と、
この記録工程により前記一時保存用メモリに記録されたデータを、前記データ放送コンテンツに基づく所定の動作が要求された状態で、前記不揮発性メモリに転送する制御工程とを有することを特徴とするデジタル放送受信装置の制御方法。
【請求項５】
受信したデータ放送コンテンツに基づいて、不揮発性メモリへのデータ書き込みが制御されるデジタル放送受信装置において、
前記デジタル放送受信装置を制御するコンピュータに、
前記データ放送コンテンツに基づいて前記不揮発性メモリへのデータ書き込みが要求された状態で、前記不揮発性メモリに書き込むデータを一時保存用メモリに書き込む記録機能と、
この記録機能により前記一時保存用メモリに記録されたデータを、前記データ放送コンテンツに基づく所定の動作が要求された状態で、前記不揮発性メモリに転送する制御機能とを実現させることを特徴とするプログラム。
【請求項６】
データ書き込み命令に基づいて、不揮発性メモリへのデータ書き込みを制御するデータ記録装置において、
前記データ書き込み命令に基づいて前記不揮発性メモリへのデータ書き込みが要求された状態で、前記不揮発性メモリに書き込むデータを一時保存用メモリに書き込む記録手段と、
この記録手段により前記一時保存用メモリに記録されたデータを、所定の動作が要求された状態で、前記不揮発性メモリに転送する制御手段とを具備したことを特徴とするデータ記録装置。
【請求項７】
データ書き込み命令に基づいて、不揮発性メモリへのデータ書き込みを制御するデータ記録方法において、
前記不揮発性メモリに記録されているデータを一時保存用メモリに転送する転送工程と、
この転送工程の後、前記データ書き込み命令に基づいて前記不揮発性メモリへのデータ書き込みが要求された状態で、前記不揮発性メモリに書き込むデータを前記一時保存用メモリに書き込む記録工程と、
この記録工程により前記一時保存用メモリに記録されたデータを、前記所定の動作が要求された状態で、前記不揮発性メモリに転送する制御工程とを有することを特徴とするデータ記録方法。
【手続補正３】
【補正対象書類名】明細書
【補正対象項目名】０００１
【補正方法】変更
【補正の内容】
【０００１】
【発明の属する技術分野】
この発明は、例えば衛星を用いたデジタルテレビジョン放送システムに係り、特にそのテレビジョン放送番組やデータ放送コンテンツ等を受信するデジタル放送受信装置とその制御方法、プログラム、データ記録装置及びデータ記録方法に関する。
【手続補正４】
【補正対象書類名】明細書
【補正対象項目名】００１１
【補正方法】変更
【補正の内容】
【００１１】
そこで、この発明は上記事情を考慮してなされたもので、データ放送における視聴者関連情報を保存する不揮発性メモリに対して、データ書き込み回数の削減を図り、しかも、不慮の電源遮断等にも極力対応することができ、安全で信頼性の高いデータ保存を行なえるようにした極めて良好なデジタル放送受信装置とその制御方法、プログラム、データ記録装置及びデータ記録方法を提供することを目的とする。
【手続補正５】
【補正対象書類名】明細書
【補正対象項目名】００１３
【補正方法】変更
【補正の内容】
【００１３】
また、この発明に係るデジタル放送受信装置の制御方法は、受信したデータ放送コンテンツに基づいて、不揮発性メモリへのデータ書き込みを行なうようにデジタル放送受信装置を制御する方法を対象としている。そして、不揮発性メモリに記録されているデータを一時保存用メモリに転送する転送工程と、この転送工程の後、データ放送コンテンツに基づいて不揮発性メモリへのデータ書き込みが要求された状態で、不揮発性メモリに書き込むデータを一時保存用メモリに書き込む記録工程と、この記録工程により一時保存用メモリに記録されたデータを、データ放送コンテンツに基づく所定の動作が要求された状態で、不揮発性メモリに転送する制御工程とを有するようにしたものである。  
さらに、この発明に係るプログラムは、受信したデータ放送コンテンツに基づいて、不揮発性メモリへのデータ書き込みが制御されるデジタル放送受信装置を制御するコンピュータに対し、データ放送コンテンツに基づいて不揮発性メモリへのデータ書き込みが要求された状態で、不揮発性メモリに書き込むデータを一時保存用メモリに書き込む記録機能と、この記録機能により一時保存用メモリに記録されたデータを、データ放送コンテンツに基づく所定の動作が要求された状態で、不揮発性メモリに転送する制御機能とを実現させるようにしたものである。 
また、この発明に係るデータ記録装置は、データ書き込み命令に基づいて、不揮発性メモリへのデータ書き込みを制御するものを対象としている。そして、データ書き込み命令に基づいて不揮発性メモリへのデータ書き込みが要求された状態で、不揮発性メモリに書き込むデータを一時保存用メモリに書き込む記録手段と、この記録手段により一時保存用メモリに記録されたデータを、所定の動作が要求された状態で、不揮発性メモリに転送する制御手段とを備えるようにしたものである。 
さらに、この発明に係るデータ記録方法は、データ書き込み命令に基づいて、不揮発性メモリへのデータ書き込みを制御する方法を対象としている。そして、不揮発性メモリに記録されているデータを一時保存用メモリに転送する転送工程と、この転送工程の後、データ書き込み命令に基づいて不揮発性メモリへのデータ書き込みが要求された状態で、不揮発性メモリに書き込むデータを一時保存用メモリに書き込む記録工程と、この記録工程により一時保存用メモリに記録されたデータを、所定の動作が要求された状態で、不揮発性メモリに転送する制御工程とを有するようにしたものである。
【手続補正６】
【補正対象書類名】明細書
【補正対象項目名】００１４
【補正方法】変更
【補正の内容】
【００１４】
上記のような発明によれば、不揮発性メモリへのデータ書き込みが要求された状態で、不揮発性メモリに書き込むデータを一時保存用メモリに書き込み、この一時保存用メモリに記録されたデータを、データ放送コンテンツに基づく所定の動作が要求された状態で不揮発性メモリに転送するようにしたので、データ放送における視聴者関連情報を保存する不揮発性メモリに対して、データ書き込み回数の削減を図り、しかも、不慮の電源遮断等にも極力対応することができ、安全で信頼性の高いデータ保存を行なうことが可能となる。
【手続補正７】
【補正対象書類名】明細書
【補正対象項目名】００５５
【補正方法】変更
【補正の内容】
【００５５】
【発明の効果】
以上詳述したようにこの発明によれば、データ放送における視聴者関連情報を保存する不揮発性メモリに対して、データ書き込み回数の削減を図り、しかも、不慮の電源遮断等にも極力対応することができ、安全で信頼性の高いデータ保存を行なえるようにした極めて良好なデジタル放送受信装置とその制御方法、プログラム、データ記録装置及びデータ記録方法を提供することができる。